(57)【要約】 【課題】  天板が複数に分割された長大形のテーブルであっても、側部フレーム同士を確実に接続すると同時に天板接続部の撓みを極力抑えてその平面状態を保持するようにしたテーブルのフレーム構造を提供すること。【解決手段】  天板両側下面に、複数の管状の側部フレーム４ａ，４ｂを連結したフレームが一対配置され、管状の側部フレーム４ａ，４ｂには長さ方向に沿って延びる溝条が形成されると共に、隣り合う側部フレーム４ａ，４ｂの接続部ｔの内方部両側に、両方で一つの孔となる切欠部１５ａ，１５ｂが形成され、接続部ｔには両側部フレーム４ａ，４ｂの溝条に内装される左右枝部材１４ｂ，１４ｃと、切欠部１５ａ，１５ｂを挿通して内方に延びる内側枝部材１４ａとを有する上面視略Ｔ字形の取付金具１４が螺着され、中間フレーム１２の両側は各取付金具１４を内挿した状態でこの取付金具１４に取付けた構成とする・【選択図】  図２
2005185642.tif 000002
【特許請求の範囲】
【請求項１】
天板の両側下面側がそれぞれ、支持脚を有する一対の側部フレームと、この一対の側部フレーム間を連結する中間フレームとにより支持されるテーブルのフレーム構造であって、前記一対の側部フレームはそれぞれ複数の管状フレームを連接して構成され、各管状フレームは長さ方向に沿って延びる溝条が形成されているとともに、隣り合う管状フレームの接続部の内方部両側に、両方で一つの孔となる切欠部が形成され、前記接続部には両管状フレームの溝条に内挿される左右枝部材と、前記切欠部を挿通して内方に延びる内側枝部材とを有する上面視略Ｔ字形の取付金具が螺着され、前記中間フレームの両側は前記各取付金具を内挿した状態で該取付金具に取付けられていることを特徴とするテーブルのフレーム構造。
【請求項２】
前記取付金具は管状フレームの内側面より前記左右枝部材に挿通したねじ部材により両管状フレームに螺着されている請求項１に記載のテーブルのフレーム構造。
【請求項３】
前記天板は側部フレーム及び中間フレームに設けた支持金具を介して支持されている請求項１または２に記載のテーブルのフレーム構造。
【請求項４】
前記中間フレームの両側端面は隣り合う管状フレームの内側面に当接している請求項１ないし３のいずれかに記載のテーブルのフレーム構造。
【請求項５】
前記中間フレームは中間脚を有している請求項１ないし４のいずれかに記載のテーブルのフレーム構造。
【請求項６】
前記内側枝部材の底面に中間フレーム案内リブが形成されている請求項１ないし５のいずれかに記載のテーブルのフレーム構造。
【請求項７】
前記中間フレームは管状体である請求項１ないし６のいずれかに記載のテーブルのフレーム構造。
【発明の詳細な説明】
【技術分野】
【０００１】
本発明は、天板の両側下面側が支持脚を有する一対の側部フレームに、天板の中央部が前記一対の側部フレーム間を連結する中間フレームにより支持されるテーブルのフレーム構造に関する。
【背景技術】
【０００２】
支持脚を有する一対の側部フレームとこの一対の側部フレーム間を連結する中間フレームを備えたテーブルは従来より知られていた。（例えば、特許文献１、２参照）。この従来のテーブルは中間フレームが一対の側部フレームを連結しているため枠組み構造が強固に構築でき、天板の大きなテーブルに向いていた。しかしながら、このようなテーブルにおいても一対の側部フレームが支持できる天板の大きさには限界があるため、天板がより長大化したテーブルにおいては、天板を複数に分割化して、天板を支持する側部フレームも増やしたものが公知である（例えば、特許文献３参照）。
【０００３】
【特許文献１】特許第２６３６４９５明細書（第２図）
【特許文献２】特開平１１−４２１２２号公報（第４図）
【特許文献３】登録実用新案第３０１３６３３号公報（図１、３、４図）
【発明の開示】
【発明が解決しようとする課題】
【０００４】
しかしながら、特許文献３に記載のテーブルは、側部フレーム同士の接合は取付金具で結合されているが、天板の接続部に中間フレームとしての支持ビームがないため、天板が接続部のところで撓む傾向があった。
【０００５】
本発明は、このような事情のもとに開発されたもので、天板が複数に分割された長大形のテーブルであっても、側部フレーム同士を確実に接続すると同時に天板接続部の撓みを極力抑えてその平面状態を保持するようにしたテーブルのフレーム構造を提供することを目的とする。
【課題を解決するための手段】
【０００６】
上記の目的を解決するために、本発明の請求項１に記載のテーブルのフレーム構造は、天板の両側下面側がそれぞれ、支持脚を有する一対の側部フレームと、この一対の側部フレーム間を連結する中間フレームとにより支持されるテーブルのフレーム構造であって、前記一対の側部フレームはそれぞれ複数の管状フレームを連接して構成され、各管状フレームは長さ方向に沿って延びる溝条が形成されているとともに、隣り合う管状フレームの接続部の内方部両側に、両方で一つの孔となる切欠部が形成され、前記接続部には両管状フレームの溝条に内挿される左右枝部材と、前記切欠部を挿通して内方に延びる内側枝部材とを有する上面視略Ｔ字形の取付金具が螺着され、前記中間フレームの両側は前記内側枝部材を内挿した状態で該取付金具に取付けられていることを特徴としている。
この特徴によれば、上面視略Ｔ字形の取付金具により隣り合う管状フレームは確実に接続され、中間フレームの両側がこの取付金具に取付けられているので、天板の接続部は撓みが中間フレームにより抑えられて、その平面状態を保持することができる。
【０００７】
本発明の請求項２に記載のテーブルのフレーム構造は、請求項１に記載のテーブルのフレーム構造であって、前記取付金具は管状フレームの内側面より前記左右枝部材に挿通したねじ部材により管状フレームに螺着されていることを特徴としている。
この特徴によれば、取付金具は管状フレームの内側面よりねじ部材で螺着したものであるので、ねじ部材をテーブル外方より目視できない位置に隠蔽することができる。
【０００８】
本発明の請求項３に記載のテーブルのフレーム構造は、請求項１または２に記載のテーブルのフレーム構造であって、前記天板は側部フレーム及び中間フレームに設けた支持金具を介して支持されていることを特徴としている。
この特徴によれば、中間フレームにも支持金具を介して天板を支持できるので、分割天板の接続部の撓みを抑えることができる。
【０００９】
本発明の請求項４に記載のテーブルのフレーム構造は、請求項１ないし３のいずれかに記載のテーブルのフレーム構造であって、前記中間フレームの両側端面は隣り合う管状フレームの内側面に当接していることを特徴としている。
この特徴によれば、中間フレームの両側端面が管状フレームの内側面と当接していることにより、より強固な枠構造体が得られる。
【００１０】
本発明の請求項５に記載のテーブルのフレーム構造は、請求項１ないし４のいずれかに記載のテーブルのフレーム構造であって、前記中間フレームは中間脚を有していることを特徴としている。
この特徴によれば、中間フレームを中間脚で支持することにより、中間フレーム自体の撓みも抑えることができる。
【００１１】
本発明の請求項６に記載のテーブルのフレーム構造は、請求項１ないし５のいずれかに記載のテーブルのフレーム構造であって、前記内側枝部材の底面に中間フレーム案内リブが形成されていることを特徴としている。
この特徴によれば、取付金具の内側枝部材を中間フレームに内挿する場合に、案内リブにガイドされるので挿入がし易い。
【００１２】
本発明の請求項７に記載のテーブルのフレーム構造は、請求項１ないし６のいずれかに記載のテーブルのフレーム構造であって、前記中間フレームは管状体であることを特徴としている。
この特徴によれば、容易に内側枝部材を内挿させることができ組み付けし易く、取付金具４内挿のための加工が省かれ、テーブルの軽量化も図かれる。
【発明を実施するための最良の形態】
【００１３】
本発明の実施例を以下に説明する。
【実施例】
【００１４】
本発明の実施例を図面に基づいて説明すると、先ず図1は本発明の実施例に係るフレーム構造が採用されたテーブルの全体斜視図、図２は取付金具を介して２分割された側部フレームないしその分割部に中間フレームを連結する状態を示す部分断面を示す平面図、図３は図２のＡ−Ａ断面図、図４の（ａ）は図２のＢ−Ｂ断面図、（ｂ）は図２のＣ−Ｃ断面図、図５の（ａ）は側部フレームに取付金具を介して中間フレームが連結された状態であって一部断面を示す側面図、（ｂ）は（ａ）のＤ−Ｄ断面図でである。
【００１５】
先ず図1及び図２に示す符号１はテーブルであって、このテーブル１は横長矩形状に形成され長手方向の中間部で２分割され、且つ２分割された中間部位を更に２分割した分割天板２ａ，２ｂ，２ｃ，２ｄで構成され両側端縁が外側に湾曲形成された天板２と、この天板２の長手方向両側を支持すべく外側に湾曲し長手方向中間部位で２分割された側部フレーム４ａ，４ｂと、両端側の天板２ａ，２ｄを支持すべく短尺の２本の端部フレーム６（１本のみ図示）と、両側部フレーム４ａ，４ｂと端部フレーム６の端部を４箇所で連結するコーナー連結部材５と、このコーナー連結部材５の下面に固定される４本のＬ字形断面に形成され下端面に高さ調整用の図示しないジャッキボルトを備えた支持脚８と、両側部フレーム４ａ，４ｂの分割端部を連結する中間フレーム１２と、側部フレーム４ａ，４ｂと中間フレーム１２とを連結する上面視Ｔ字形の一対の取付金具１４とから構成されている。
【００１６】
中間フレーム１２は、図１に示すように断面が角筒状体に形成されて中央部位には２本の中間脚１０ａ，１０ｂが垂直に溶接接合され、この中間脚１０ａ，１０ｂの下端には、高さ調整用のジャッキボルト（不図示）がそれぞれ螺挿されている。
【００１７】
次に、両側部フレーム４ａ，４ｂは、図３に示すように両端部フレーム６と同様な構造であり、垂直な内側面２５ａとこの内側面２５ａに直交する上面２５ｂと外側に形成される斜面２５ｃから成る断面が三角形状の引抜きアルミ材で形成され、２分割された両側部フレーム４ａ，４ｂの接続部ｔの内方部両側には両方で一つの角孔となる切欠部１５ａ，１５ｂが形成されている。
【００１８】
この切欠部１５ａ，１５ｂは、後述する取付金具１４の内側枝部材１４ａが挿通できるように構成され、両切欠部１５ａ，１５ｂの近傍には取付金具１４を固定するための一対のネジ挿通孔Ｈが長手方向に形成されている。
【００１９】
取付金具１４は、図２〜図４に示すように例えばアルミダイカストにより上面視略Ｔ字形に形成され、２分割された側部フレーム４ａ，４ｂ内部の溝条２６に内挿可能な板状の左右枝部材１４ｂ，１４ｃと、枝部材１４ｂ，１４ｃの中間部位から内方に向けて直交して延設される断面角形の内側枝部材１４ａとから構成されている。
【００２０】
詳しくは、取付金具１４の内側枝部材１４ａは、図４の（ａ），（ｂ）の断面に示すように、上面に凹部１８が形成されており凹部１８の両側には上端まで延びるリブ１８ａ，１８ｂが長手方向に形成されると共に、下面に形成される浅溝２０の両側にも中間フレーム案内リブ２０ａ，２０ｂが長手方向に形成されている。
【００２１】
更に、内側枝部材１４ａ下面には、中間フレーム１２を固定するための一対のネジ孔ｈが長手方向に形成されており、両枝部材１４ｂ，１４ｃには、両側部フレーム４ａ，４ｂの各ネジ挿通孔Ｈに対応する一対のネジ孔ｈがそれぞれ形成されている。
【００２２】
次に、テーブル１のフレームを組み立てる手順に付き詳述する。
【００２３】
先ず、図１に示すように、２分割された両側部フレーム４ａ，４ｂの分割端部から溝条２６に取付金具１４両側の枝部材１４ｂ，１４ｃを挿嵌させ、両側部フレーム４ａ，４ｂの接合部ｔに形成される切欠部１５ａ，１５ｂから取付金具１４の内側枝部材１４ａが内方に向けて挿通突出するように、両側部フレーム４ａ，４ｂの接合部ｔを突き合わせた後、ボルトＢを介して取付金具１４を両側部フレーム４ａ，４ｂの接合部ｔの箇所に螺合する。
【００２４】
次に、２本の中間脚１０ａ，１０ｂを下に向けた状態で、両側部フレーム４ａ，４ｂの接合部ｔから内方に向けて挿通突出した内側枝部材１４ａに、中間フレーム１２両端の開口を挿嵌して中間フレーム１２の両端を両側部フレーム４ａ，４ｂの垂直な内側面２５ａに当接させた状態でボルトＢを介して接合することで、対向する両側部フレーム４ａ，４ｂ間が連結される。
【００２５】
なお、図１に示すように、フレームのコーナー部を形成するには、長尺の２本の対向する側部フレーム４ａ，４ｂと２本の端部フレーム６両端をコーナー連結部材５を介して連結する。そして、コーナー連結部材５の図示しない垂直な取付け面に支持脚８内側の直交する内側面を当接させて支持脚８の上端を図示しないボルトにより固定し、４箇所のコーナー部に４本の支持脚８が固定される。
【００２６】
これにより、テーブル１のフレームが組立てられると、図５の（ａ），（ｂ）に示すように中間フレーム１２の前後端部近傍ないし中間部の両側面上部にＬ字形に折曲形成された複数の支持金具３２が、中間フレーム１２の上面より取付け面が若干量（δｍｍ）均一に突出するようにネジを介して取付けられる。
【００２７】
更に、組み立てられた一対の湾曲形成される側部フレーム４ａ，４ｂと端部フレーム６の対向する内側面２５ａには、両端近傍ないし中間部位には所定間隔毎に複数の支持金具３２が前記各側部フレーム４ａ，４ｂと端部フレーム６の上面２５ｂより取付け面が若干量均一に突出するようにネジを介して取付けられる。
【００２８】
このように、両外側に湾曲する矩形状に組み立てられたフレームは、コーナー部に設けた４本の支持脚８と中間フレーム１２の中央部位に設けた２本の中間脚１０ａ，１０ｂにより床面Ｆ上で支持される。
【００２９】
そこで、前記のように組み立てられたフレームは、コーナー部に設けた４本の支持脚８のジャッキボルト（図示せず）により側部フレーム４ａ，４ｂと端部フレーム６コーナー部の水平度が調整され、次いで中間フレーム１２中央部位の中間脚１０ａ，１０ｂのジャッキボルト３４を調整して水平度を出すことで両側部フレーム４ａ，４ｂの中間部位が水平に支持される。
【００３０】
次いで、各フレームに取付けられた複数の支持金具３２の取付け面上に４分割された分割天板２ａ〜２ｄを載置し、分割天板２ｂ，２ｃは、接合部Ｔを互いに当接した状態で中間フレーム１２に取付けられた支持金具３２により固定されると共に、分割天板２ｂ，２ｃの両側は側部フレーム４ａ，４ｂに取付けられた支持金具３２に固定される。
【００３１】
次に、分割天板２ｂ，２ｃ両外側の分割天板２ａ，２ｄは、側部フレーム４ａ，４ｂ及び端部フレーム６に取付けられた支持金具３２に固定されると共に、相互の接合部下面は図示しない所定長さの連結板によって連結される。
【００３２】
このように構成されたテーブルのフレーム構造によれば、上面視略Ｔ字形の取付金具１４により隣り合う中空管状の両側部フレーム４ａ，４ｂが確実に接続され、中間フレーム１２の両側がこの取付金具１４に取付けられているので、分割天板２ｂ，２ｃの接続部Ｔ近傍の撓みが中間フレーム１２により抑えられて、天板の平面状態を保持することができる。
【００３３】
また、取付金具１４は、中空管状の両側部フレーム４ａ，４ｂの内側面よりボルトで螺着したものであるので、ボルトをテーブル１外方より目視できない位置に隠蔽することができる。
【００３４】
更に、中間フレーム１２でも取付金具１４を介して分割天板２ｂ，２ｃを支持できるので、分割天板２ｂ，２ｃの接続部の撓みを抑えることができ、加えて中間フレーム１２の両側端面が中空管状の両側部フレーム４ａ，４ｂの内側面と当接させることにより、より強固な枠構造体が得られる。
【００３５】
そして、中間フレーム１２を中間脚１０ａ，１０ｂで支持することにより、中間フレーム１２自体の撓みも抑えることができるばかりか、中間フレーム１２を断面筒状に形成することで、容易に内側枝部材１４ａを内挿させることができ組み付けし易く、取付金具４内挿のための加工が省かれ、テーブルの軽量化も図かれる。
【００３６】
以上、本発明の実施例を図面により説明してきたが、具体的な構成はこれら実施例に限られるものではなく、例えば、本実施例においては天板を側部フレームや中間フレームの上面より浮かせて取付けているが、接して取付けるようにしても良い。また、天板を分割天板とし、中間フレームのところで支持させているが、一枚の長大天板に対しても適用できることは言うまでもない。
【図面の簡単な説明】
【００３７】
【図１】本発明の実施例に係るフレーム構造が採用されたテーブルの全体斜視図である。
【図２】取付金具を介して２分割された側部フレームないしその分割部に中間フレームを連結する状態を示す部分断面を示す平面図である。
【図３】図２のＡ−Ａ断面図である。
【図４】（ａ）は図２のＢ−Ｂ断面図、（ｂ）は図２のＣ−Ｃ断面図である。
【図５】（ａ）は側部フレームに取付金具を介して中間フレームが連結された状態であって一部断面を示す側面図、（ｂ）は（ａ）のＤ−Ｄ断面図である。
【符号の説明】
【００３８】
１                テーブル
２                天板
２ａ〜２ｄ        分割天板
４ａ，４ｂ        側部フレーム
５                コーナー連結部材
６                端部フレーム
８                支持脚
１０ａ，１０ｂ    中間脚
１２              中間フレーム
１４              取付金具
１４ａ            内側枝部材
１４ｂ，１４ｃ    枝部材
１５ａ，１５ｂ    切欠部
１８              凹部
１８ａ，１８ｂ    リブ
２０              浅溝
２０ａ，２０ｂ    中間フレーム案内リブ
２５ａ            内側面
２５ｂ            上面
２５ｃ            斜面
２６              溝条
３２              支持金具
３４              ジャッキボルト
Ｂ                ボルト
Ｆ                床面
ｈ                ネジ孔
Ｈ                ネジ挿通孔
ｔ                接合部（側部フレームの）
Ｔ                接合部（天板の）
【図１】
2005185642.tif 000003
【図２】
2005185642.tif 000004
【図３】
2005185642.tif 000005
【図４】
2005185642.tif 000006
【図５】
2005185642.tif 000007